(57)【要約】【課題】従来、ゴザや植木鉢を使用し、ベランダ等から屋内を見透かされるのを防止しているが、通風性や美観的にも悪く、また植木鉢等は台風などの強風時においては、土を撒き散らしたり、また落下する危険性も含んでいるという問題があった。【解決手段】造花、および造植物を縦に任意の間隔で並べて、その造花、および造植物の横軸に穴を開け、その穴に紐等を通し、もしくは前記横軸の穴を開ける替わりに紐等で結んでつなぎ合わせて平面状にし、その平面状にした造花、および造植物を、手すり等に取付ける為の紐等を設けた構成にした。これにより、通気性と美観を提供できるとともに落下の危険性も防止することができる。【選択図】  図１
2005171739.tif 000002
【特許請求の範囲】
【請求項１】
棒状部の一部に突起部を有する棒状体が複数個で形成された透視防止柵であって、複数の前記棒状体を互いに隣接させてつなぎ合わせてなる棒状体接続手段によって、平面状に形成してなることを特徴とする透視防止柵。
【請求項２】
前記棒状態接続手段は、複数の前記棒状体の一部と紐状体の一部を互いに接続させてなることを特徴とする請求項１記載の透視防止柵。
【請求項３】
前記棒状体接続手段は、前記棒状体の一部に穴を開けて、該穴に前記紐状体を挿入することで接続されることを特徴とする請求項２記載の透視防止柵。
【請求項４】
前記紐状体の両端部には前記穴の径より大きな径である、前記棒状体が前記紐状体より外れないようにするための留部を有することを特徴とする請求項３記載の透視防止柵。
【請求項５】
前記紐状体の両端部の内は、略等間隔に連続的に設けられている径の異なる異径状であることを特徴とする請求項３または請求項４記載の透視防止柵。
【請求項６】
前記棒状体接続手段は、前記棒状体の一部どうしを、結ぶか、加熱により一体化するか、接着材によって接着されるか、の内少なくとも１つによって接続されることを特徴とする請求項１記載の透視防止柵。
【請求項７】
前記棒状体接続手段は、前記棒状体の一部と前記紐状体の一部を、結ぶか、加熱により一体化するか、接着材によって接着されるか、の内少なくとも１つによって接続されることを特徴とする請求項２記載の透視防止柵。
【請求項８】
前記紐状体の両端部には、手すり等に取付ける為に、前記棒状体接続手段によって接続された棒状体の最後の両端部を越えて延設された棒状体を接続しない区間である第２の紐状体である第２取付部を有することを特徴とする請求項２〜５、請求項７いずれか記載の透視防止柵。
【請求項９】
請求項１〜８いずれか記載の平面状の透視防止柵の両端部には、手すり等に取付ける為に、紐状体である取付部を有することを特徴とする透視防止柵。
【請求項１０】
前記紐状体は、前記棒状体の色に略等しいことを特徴とする請求項２〜５、請求項７〜８いずれか記載の透視防止柵。
【請求項１１】
前記棒状体は、植物を模造するもので、棒状部が茎を模造したものであり、突起部が花弁や葉を模造したものであることを特徴とする請求項１〜１０いずれか記載の透視防止柵。
【発明の詳細な説明】
【技術分野】
【０００１】  本発明は造植物を主材とした透視防止柵に関するものである。
【背景技術】
【０００２】  従来、ベランダ等手すりを通して屋外から屋内が見透かされるのを防止する目的で、ゴザ、または植木鉢等が使用されている。
【特許文献１】特開２００２−２０９７１１
【発明の開示】
【発明が解決しようとする課題】
【０００３】    以上に述べた従来のものでは、ゴザは通気性が悪く、また美観的にも良くない。また植木鉢については、台風等強風時においては中の土が拡散して周囲を汚したり、また落下したりする危険性も含んでいる。【０００４】  本発明は、このような従来のゴザ、および植木鉢等が有していた問題を解決しようとするものであり、通気性及び美観を良くし、落下等の危険性をなくした透視防止を実現することを目的とするものである。
【課題を解決する手段】
【０００５】  上記目的を達成するため、請求項１記載の発明は、棒状部の一部に突起部を有する棒状体が複数個で形成された透視防止柵であって、複数の前記棒状体を互いに隣接させてつなぎ合わせてなる棒状体接続手段によって、平面状に形成してなることを特徴とする透視防止柵、である。
【０００６】  これによれば、棒状部の一部に突起部を有し、複数の前記棒状体を互いに隣接させてつなぎ合わせてなる棒状体接続手段によって、平面状に形成してなるすることで、平面に対し垂直方向からの密度をゴザと同様とした場合、平面に対し水平方向からの密度をゴザよりも低くすることができる。即ち、平面に対し垂直方向からの密度が同じのためゴザと同様の透視防止効果を有しながら、平面に対し水平方向からの密度が薄いので通気性にすぐれる。
【０００７】  尚、棒状部には紙を巻いて棒状とし蝋で被覆して防水効果を持たせたもの、プラスチック、金属にビニールを被覆したものなどを例示できる。棒状部は、ある程度の可撓性を有しながらも、ゴザと同様地から壁面にかけて立てかけておける程度の硬さを有することが好ましい。そして更に棒状部は、請求項１０記載の如く、植物の茎を模造したものであり、略緑色であると心地良い。棒状部は断面が円形を例示できるが、角状、多角形、楕円状、等その断面形状は限定しない。
【０００８】  また尚、突起部は、薄片状、各種植物の花弁状、各種植物の葉状、紐状、蔓状、玉状、卵状、つぼみ状等、その形状は限定しない。棒状部の一部に設けられた突起であれば本発明に含まれる。
【０００９】  また尚、棒状体接続手段は、請求項２〜７記載の如くに複数の棒状体を互いに隣接させてつなぎ合わせる以外に、例えば、ビニールで被覆した針金等、地から壁面にかけて立てかけておける程度の硬さを有する他の棒状のものに本発明の棒状体を接続するようにしてもよい。
【００１０】  また、請求項２記載の発明は、前記棒状態接続手段は、前記棒状体の一部と紐状体の一部を互いに接続させてなることを特徴とする請求項１記載の透視防止柵、である。
【００１１】  これによれば、例えば棒状体の一部を紐状体の一部に隣接する棒状体の突起部が重なり合わないように間隔をなくして接続すれば、有効な透視防止効果を維持しつつ、平面に対し水平方向からの密度が必要以上とならないので有効な通気性を損なうことがない。そして更に例えば、紐状体の柔軟性により、地から壁面にかけて立てかけておける程度の硬さを有する棒状体を、ゴザ同様、使わないときには巻いておいてコンパクトにしてしまっておくことができる。
【００１２】  尚、棒状体の一部と紐状体の一部を互いに接続させさせる際には、請求項３〜５、請求項７記載の如くになす以外に、例えば、ピンや、結束具などを介して接続するようにしてもよい。
【００１３】  また尚、紐状体は、例えば、結わき易いビニール紐や、防水のため蝋を染み込ませた繊維材の紐、ビニールで被覆した針金などを例示できる。
【００１４】  また、請求項３記載の発明は、前記棒状体接続手段は、前記棒状体の一部に穴を開けて、該穴に前記紐状体を挿入することで接続されることを特徴とする請求項２記載の透視防止柵、である。
【００１５】  これによれば、棒状体の一部に穴を開けて、その穴に紐状体を挿入することで接続されるため、棒状体と紐状体の接続位置を任意に変更することでき、平面に対し垂直方向及び水平方向からの密度を好みに合わせて設定できるとともに、透視防止する面積を好みに合わせて設定できる。
【００１６】  尚、穴径は、紐状体の径に略等しいか若干小さくすることが好ましい。穴径が紐状体の径より若干小さくする場合には紐状体か、棒状体の少なくとも一方が柔軟性を有することが好ましく、このようにすることで、人間の力で棒状体と紐状体の接続位置を変更可能となるとともに、棒状体と紐状体の接続位置を固定できる。
【００１７】  また、請求項４記載の発明は、前記紐状体の両端部には前記穴の径より大きな径である、前記棒状体が前記紐状体より外れないようにするための留部を有することを特徴とする請求項３記載の透視防止柵、である。
【００１８】  これによれば、紐状体の両端部には穴の径より大きな留部を有することで、風などで棒状体が紐状体から外れにくくできる。この留部の内部を中空とし、指でつまんで小さくすることで穴に挿入することができるようにしてもよいし、熱可塑性樹脂を半硬化させたまた弾力性がある状態で穴に挿入してもよい。
【００１９】  また、請求項５記載の発明は、前記紐状体の両端部の内は、略等間隔に連続的に設けられている径の異なる異径状であることを特徴とする請求項３または請求項４記載の透視防止柵、である。
【００２０】  これによれば、紐状体の両端部の内は、略等間隔に連続的に設けられている径の異なる異径状であるので、紐状体の小さい径の部分に棒状体を位置させることで、風によって位置がゆれるので心地良いとともに。棒状体の位置を、平面に対し垂直方向及び水平方向からの密度も最適に保つことで、通気性と透視防止効果の両立ができる。
【００２１】  また、請求項６記載の発明は、前記棒状体接続手段は、前記棒状体の一部どうしを、結ぶか、加熱により一体化するか、接着材によって接着されるか、の内少なくとも１つによって接続されることを特徴とする請求項１記載の透視防止柵、である。
【００２２】  また、請求項７記載の発明は、前記棒状体接続手段は、前記棒状体の一部と前記紐状体の一部を、結ぶか、加熱により一体化するか、接着材によって接着されるか、の内少なくとも１つによって接続されることを特徴とする請求項２記載の透視防止柵、である。
【００２３】  また、請求項８記載の発明は、前記紐状体の両端部には、手すり等に取付ける為に、前記棒状体接続手段によって接続された棒状体の最後の両端部を越えて延設された棒状体を接続しない区間である第２の紐状体である第２取付部を有することを有することを特徴とする請求項２〜５、請求項７いずれか記載の透視防止柵、である。
【００２４】  これによれば、紐状体の両端部には、手すり等に取付ける為に、前記棒状体接続手段によって接続された棒状体の最後の両端部を越えて延設された棒状体を接続しない区間である取付部を有するので、この透視防止柵を広げて使うときにはその取付部を手すりなどに結わいておけるので風で倒れたりしにくくなるとともに、使わないときにはその取付部を結わいて巻いておいてコンパクトにしてしまっておくことができる。
【００２５】  また、請求項９記載の発明は、請求項１〜８いずれか記載の平面状の透視防止柵の両端部には、手すり等に取付ける為に、紐状体である取付部を有することを特徴とする透視防止柵。である。
【００２６】  これによれば、平面状の透視防止柵の両端部には、手すり等に取付ける為に、第２の紐状体である取付部を有するので、この透視防止柵を広げて使うときにはその取付部を手すりなどに結わいておけるので風で倒れたりしにくくなるとともに、使わないときにはその取付部を結わいて巻いておいてコンパクトにしてしまっておくことができる。
【００２７】  また、請求項１０記載の発明は、前記紐状体は、前記棒状体の色に略等しいことを特徴とする請求項２〜５、請求項７〜８いずれか記載の透視防止柵、である。
【００２８】  これによれば、紐状体は、棒状体の色に略等しいので、例えば、棒状体を造植物とする場合、本物の如く見えるので心地良い。
【００２９】  また、請求項１１記載の発明は、前記棒状体は、植物を模造するもので、棒状部が茎を模造したものであり、突起部が花弁や葉を模造したものであることを特徴とする請求項１〜１０いずれか記載の透視防止柵、である。
【００３０】  これによれば、棒状体は、植物を模造するもので、棒状部が茎を模造したものであり、突起部が花弁や葉を模造したものであるので、本物の植物が平面的に生い茂っているような如く見えて心地よい。
【発明を実施するための最良の形態】
【００３１】  以下、本発明の実施の形態を図１から図５に基づいて説明する。【００３２】  図１は、本発明の透視防止柵の全体を示した１例である。
図２は、本発明の透視防止柵の１部を構成する造植物１（棒状体）の１例である。
図３は、図１を透視防止柵を構成する造植物１（棒状体）の棒状部５に穴７を開けて、その穴７に紐２（紐状体）を挿入した１例である。
図４は、紐状体の１例である。
図５は、ベランダ手すりに取付けた実施例である。【００３３】  尚、特に断りがなければ、例示する各部は熱可塑性樹脂であり、静電気により埃が吸着されないように粒径が０．１〜３００μｍになる導電性金属の超微粉末を主材料の合成樹脂に対して０．５〜２０体積％で配合した帯電防止樹脂ものとする。【００３４】  図２の造植物１（棒状体）は、棒状部５と突起部６を有したものであり、熱可塑性樹脂を射出成型により一体的に製造される。そしてその棒状部５の側面には図３に示す如く紐状体２または取付部３が嵌入可能な穴７を設けて形成される。【００３５】  そして、図１に示す如く、造植物１（棒状体）を形成する各棒状部５に設けられた穴７に紐２（紐状体）を挿入して、複数の造植物１を複数の紐２によってつなぎ合わせて平面状にする形成する。そして、平面状に形成された透視防止柵の両端部の棒状部５には、穴７に紐状の取付部３を挿入し、抜けてしまわないように接着剤によって固定する。【００３６】  また、図４に示す如く、紐状体２の両端部に図３で示した穴７の径より大きな部位である留部８を有し、更に紐状体２の両端部の内は、略等間隔に連続的に設けた径の異なる異径状４を形成し、更にその留部８の外側の両端部には、手すり等に取付ける為に、その両端部を越えて延設された棒状体を接続しない区間である第２の紐状体である第２取付部９を有したものである。【００３７】  図１に示す如く、棒状部５の一部に突起部６を有し、複数の棒状体５を互いに隣接させてつなぎ合わせ、平面状に形成することで、平面に対し垂直方向からの密度を透視防止上充分にするとともに、平面に対し水平方向からの密度が低くいので通気性にすぐれる。【００３８】  また、図１に示す如く、棒状体５の一部と紐状体２の一部を互いに接続させ、棒状体５の一部を紐状体２の一部に隣接する棒状体５の突起部６が重なり合わないように間隔をなくして接続すれば、有効な透視防止効果を維持しつつ、平面に対し水平方向からの密度が必要以上とならないので有効な通気性を損なうことがない。そして、紐状体２の柔軟性により、地から壁面にかけて立てかけておける程度の硬さを有する棒状体５を、ゴザ同様、使わないときには巻いておいてコンパクトにしてしまっておくことができる。【００３９】  また図３に示す如く、透視防止柵は、造植物１（棒状体）の一部、即ち棒状部５の側面に穴７が設けられ、その穴７に紐状体２を挿入することで接続され、図１に示す如く、複数の造植物１（棒状体）と複数の紐状体２を互いに隣接させてつなぎ合わせ、平面状に形成することで、造植物１（棒状体）と紐状体２の接続位置を任意に変更することでき、平面に対し垂直方向及び水平方向からの密度を好みに合わせて設定できるとともに、透視防止する面積を好みに合わせて設定できる。【００４０】  また図４に示す如く、紐状体２の両端部には穴７の径より大きな径である、造植物１（棒状体）が紐状体２より外れないようにするための留部８を有することで、風などで棒状体が紐状体から外れにくくできる。【００４１】  また図４に示す如く、紐状体２の両端部の内は、略等間隔に連続的に設けられている径の異なる異径状４であるので、紐状体２の小さい径の部分に棒状体を位置させる���とで、風によって位置がゆれるので心地良いとともに。棒状体の位置を、平面に対し垂直方向及び水平方向からの密度も最適に保つことで、通気性と透視防止効果の両立ができる。これらの紐状体２の異径状４、留部８、第２取付部９は、射出成型により一体的に製造される。尚、第２取付部９を有する場合には、取付部３を省略することができる。【００４２】  ところで、図１に示す透視防止柵は、造植物１（棒状体）と紐状体２の一部どうしを上記した如くに接続する以外に、造植物１（棒状体）どうし結ぶか、加熱により一体化するか、接着材によって接着されるか、の内少なくとも１つによって接続されるようにしても良いし、造植物１（棒状体）の一部と紐状体２の一部を、結ぶか、加熱により一体化するか、接着材によって接着されるか、の内少なくとも１つによって接続されるようにしてもよい。【００４３】  また図４に示す紐状体２の両端部には、手すり等に取付ける為に、透視防止柵の最後の造植物１（棒状体）の両端部を越えて延設された造植物１（棒状体）を接続しない区間である第２の紐状体である第２取付部９を有することで、この透視防止柵を広げて使うときにはその取付部を手すりなどに結わいておけるので風で倒れたりしにくくなるとともに、使わないときにはその取付部を結わいて巻いておいてコンパクトにしてしまっておくことができる。同様に平面状の透視防止柵の両端部に、手すり等に取付ける為に、紐状体である取付部３を有するようにしても同様の作用効果が得られる。【００４４】  また紐状体２は、造植物１（棒状体）の色に等しくすると、似せて作ったものに見えずに心地良い。【００４５】  また造植物１（棒状体）は、植物を模造するもので、棒状部５が茎を模造したものであり、突起部６が花弁や葉を模造したものであるので本物の植物が平面的に生い茂っているような如く見えて心地よい。【００４６】  尚、棒状部５には、穴７を設ける場合には、比較的硬度のある地から壁面にかけて立てかけておける程度の硬さを有する樹脂材が選択すると好ましい。穴７を設けないで、紐状体２または造植物同士の突起部６を接着材などで固定する場合には、棒状部５の内部に針金や鉄心の周囲を樹脂で被覆するようにしてもよい。【００４７】  以上説明してきたように、本実施例によれば通気性と美観をそなえて更に透視防止効果が得られるものである。
【図面の簡単な説明】
【００４８】
【図１】  透視防止柵の全体図
【図２】  透視防止柵の１部を構成する造植物
【図３】  穴を有する造植物
【図４】  紐状体
【図５】  実施例
【符号の説明】
【００４９】  １  造植物（棒状体）
２  紐状体
３  取付部
４  異径状
５  棒状部
６  突起部
７  穴
８  留部
９  第２取付部
１０  手すり
１１  ベランダ
【図１】
2005171739.tif 000003
【図２】
2005171739.tif 000004
【図３】
2005171739.tif 000005
【図４】
2005171739.tif 000006
【図５】
2005171739.tif 000007